(57)【要約】【課題】簡易な構造で、架台に対する大きな高さ調整が可能であるとともに、架台に対して２つの直交する水平方向の位置調整が可能な基礎と架台との接合構造を提供すること。【解決手段】固定用部材１には、山形鋼の垂直片部１ｂに、高さ調整部材２としての溝形鋼のウェブ２ａの幅方向である第１水平方向（Ｘ方向）に延びる２つの長穴が形成され、該長穴に挿入されるボルト１３，１４によって高さ調整部材２を固定用部材１に固定する際に高さ調整部材２の第１水平方向の位置が調整され、固定用部材１には、山形鋼の水平片部１ａに、第１水平方向と直交する第２水平方向（Ｙ方向）に延びる長穴１２が形成され、長穴１２に挿入されるアンカーボルト１１によって固定用部材１を基礎天端に固定する際に高さ調整部材２の第２水平方向の位置が調整される。【選択図】図１
2016113817.tif 000002
【特許請求の範囲】
【請求項１】
山形鋼によって形成され、前記山形鋼の水平片部がアンカーボルトで基礎天端に固定される固定用部材と、
溝形鋼によって形成され、前記溝形鋼の長手方向が鉛直上方に向かうように前記水平片部から立設し、前記溝形鋼のウェブに千鳥配置された高さ調整用の複数の穴が形成され、該穴に架台の柱がボルト締めされる高さ調整部材と、
を備え、
前記固定用部材には、前記山形鋼の垂直片部に、前記溝形鋼のウェブの幅方向である第１水平方向に延びる第１長穴が形成され、該第１長穴に挿入されるボルトによって前記高さ調整部材を前記固定用部材に固定する際に前記高さ調整部材の第１水平方向の位置が調整され、
前記固定用部材には、前記山形鋼の水平片部に、前記第１水平方向と直交する第２水平方向に延びる第２長穴が形成され、該第２長穴に挿入される前記アンカーボルトによって該固定用部材を基礎天端に固定する際に前記高さ調整部材の第２水平方向の位置が調整されることを特徴とする基礎と架台との接合構造。
【請求項２】
第１溝形鋼によって形成され、前記第１溝形鋼のウェブがアンカーボルトで基礎天端に固定される固定用部材と、
第２溝形鋼によって形成され、前記第２溝形鋼の長手方向が鉛直上方に向かうように前記第１溝形鋼のウェブから立設し、前記第２溝形鋼のウェブに千鳥配置された高さ調整用の複数の穴が形成され、該穴に架台の柱がボルト締めされる高さ調整部材と、
を備え、
前記第２溝形鋼のウェブ幅は、前記第１溝形鋼のウェブ幅よりも短く、前記第２溝形鋼のフランジと前記第１溝形鋼のフランジとがそれぞれ向かい合うように離間して前記第２溝形鋼は前記第１溝形鋼に組み合わされ、前記第２溝形鋼のウェブの幅方向である前記高さ調整部材の第１水平方向の位置は、各フランジが向かい合う離間距離によって調整され、
前記第１溝形鋼の両フランジには、前記第１水平方向と直交する第２水平方向に延びる長穴が形成され、該長穴に挿入されるボルトによって前記高さ調整部材を前記固定用部材に固定する際に前記高さ調整部材の第２水平方向の位置が調整されることを特徴とする基礎と架台との接合構造。
【請求項３】
前記固定用部材と前記高さ調整部材との固定は、ナットあるいは埋め込み雌ネジを用いることを特徴とする請求項１または２に記載の基礎と架台との接合構造。
【発明の詳細な説明】
【技術分野】
【０００１】
本発明は、簡易な構造で、架台に対する大きな高さ調整が可能であるとともに、架台に対して２つの直交する水平方向の位置調整が可能な基礎と架台との接合構造に関する。
【背景技術】
【０００２】
メガソーラーなどの太陽光発電施設では、太陽光パネルを支持する腐食に強いメッキ鋼板製の架台と基礎とを結合する必要がある。
【先行技術文献】
【特許文献】
【０００３】
【特許文献１】特開２０１３−１８９７８４号公報
【特許文献２】特開２０１３−１９９７９４号公報
【発明の概要】
【発明が解決しようとする課題】
【０００４】
ところで、架台の水平方向（直交する２方向）は、基礎の施工に伴う誤差が生じるため、基礎と架台との接合部には、数ｃｍ程度の変位調整機構を有することが望まれる。
【０００５】
一方、太陽光パネルを設置するサイトを整地した場合、基礎の天端レベルが一定となるため、鉛直方向の高さ調整は容易であるが、サイトが整地されていない場合、基礎の天端レベルが変動するため、数１０ｃｍ程度高さ調整機構を有する接合部材が必要となる。
【０００６】
上述した架台の水平方向は、架台のボルト接合穴を長穴とすることで調整可能であるが、鉛直方向に数１０ｃｍ程度の調整を可能とする簡易な接合構造がないため、上述したようにサイトの整地がされていない場合、架台の柱の長さを調整せざるを得なかった。この場合、すべての架台の柱の長さを必要長さに切断する必要があるため、施工性や経済性が劣ることになる。
【０００７】
なお、特許文献１には、架台が結合されるＬ字状調整金具の垂直片部に、架台の水平方向の取り付け位置を調整する長穴を設けるものが記載されている。さらに、Ｌ字状調整金具の水平片部が、回転・移動調整できるものが記載されている。しかし、特許文献１に記載されたものは、高さ調整できるレンジが小さい。また、特許文献２には、架台側外筒を、基礎側内筒に外装する際、基礎側内筒に複数のボルト穴を形成して、架台と基礎との高さ方向の位置調整を行うものが記載されている。しかし、架台の水平方向の位置調整は難しい。
【０００８】
本発明は、上記に鑑みてなされたものであって、簡易な構造で、架台に対する大きな高さ調整が可能であるともに、架台に対して２つの直交する水平方向の位置調整が可能な基礎と架台との接合構造を提供することを目的とする。
【課題を解決するための手段】
【０００９】
上述した課題を解決し、目的を達成するために、本発明にかかる基礎と架台との接合構造は、山形鋼によって形成され、前記山形鋼の水平片部がアンカーボルトで基礎天端に固定される固定用部材と、溝形鋼によって形成され、前記溝形鋼の長手方向が鉛直上方に向かうように前記水平片部から立設し、前記溝形鋼のウェブに千鳥配置された高さ調整用の複数の穴が形成され、該穴に架台の柱がボルト締めされる高さ調整部材と、を備え、前記固定用部材には、前記山形鋼の垂直片部に、前記溝形鋼のウェブの幅方向である第１水平方向に延びる第１長穴が形成され、該第１長穴に挿入されるボルトによって前記高さ調整部材を前記固定用部材に固定する際に前記高さ調整部材の第１水平方向の位置が調整され、前記固定用部材には、前記山形鋼の水平片部に、前記第１水平方向と直交する第２水平方向に延びる第２長穴が形成され、該第２長穴に挿入される前記アンカーボルトによって該固定用部材を基礎天端に固定する際に前記高さ調整部材の第２水平方向の位置が調整されることを特徴とする。
【００１０】
また、本発明にかかる基礎と架台との接合構造は、第１溝形鋼によって形成され、前記第１溝形鋼のウェブがアンカーボルトで基礎天端に固定される固定用部材と、第２溝形鋼によって形成され、前記第２溝形鋼の長手方向が鉛直上方に向かうように前記第１溝形鋼のウェブから立設し、前記第２溝形鋼のウェブに千鳥配置された高さ調整用の複数の穴が形成され、該穴に架台の柱がボルト締めされる高さ調整部材と、を備え、前記第２溝形鋼のウェブ幅は、前記第１溝形鋼のウェブ幅よりも短く、前記第２溝形鋼のフランジと前記第１溝形鋼のフランジとがそれぞれ向かい合うように離間して前記第２溝形鋼は前記第１溝形鋼に組み合わされ、前記第２溝形鋼のウェブの幅方向である前記高さ調整部材の第１水平方向の位置は、各フランジが向かい合う離間距離によって調整され、前記第１溝形鋼の両フランジには、前記第１水平方向と直交する第２水平方向に延びる長穴が形成され、該長穴に挿入されるボルトによって前記高さ調整部材を前記固定用部材に固定する際に前記高さ調整部材の第２水平方向の位置が調整されることを特徴とする。
【００１１】
また、本発明にかかる基礎と架台との接合構造は、上記の発明において、前記固定用部材と前記高さ調整部材との固定は、ナットあるいは埋め込み雌ネジを用いることを特徴とする。
【発明の効果】
【００１２】
本発明によれば、山形鋼によって形成され、前記山形鋼の水平片部がアンカーボルトで基礎天端に固定される固定用部材と、溝形鋼によって形成され、前記溝形鋼の長手方向が鉛直上方に向かうように前記水平片部から立設し、前記溝形鋼のウェブに千鳥配置された高さ調整用の複数の穴が形成され、該穴に架台の柱がボルト締めされる高さ調整部材と、を備え、前記固定用部材には、前記山形鋼の垂直片部に、前記溝形鋼のウェブの幅方向である第１水平方向に延びる第１長穴が形成され、該第１長穴に挿入されるボルトによって前記高さ調整部材を前記固定用部材に固定する際に前記高さ調整部材の第１水平方向の位置が調整され、前記固定用部材には、前記山形鋼の水平片部に、前記第１水平方向と直交する第２水平方向に延びる第２長穴が形成され、該第２長穴に挿入される前記アンカーボルトによって該固定用部材を基礎天端に固定する際に前記高さ調整部材の第２水平方向の位置が調整される。これによって、簡易な構造で、架台に対する大きな高さ調整が可能であるともに、架台に対して２つの直交する水平方向の位置調整が可能となる。
【００１３】
本発明によれば、第１溝形鋼によって形成され、前記第１溝形鋼のウェブがアンカーボルトで基礎天端に固定される固定用部材と、第２溝形鋼によって形成され、前記第２溝形鋼の長手方向が鉛直上方に向かうように前記第１溝形鋼のウェブから立設し、前記第２溝形鋼のウェブに千鳥配置された高さ調整用の複数の穴が形成され、該穴に架台の柱がボルト締めされる高さ調整部材と、を備え、前記第２溝形鋼のウェブ幅は、前記第１溝形鋼のウェブ幅よりも短く、前記第２溝形鋼のフランジと前記第１溝形鋼のフランジとがそれぞれ向かい合うように離間して前記第２溝形鋼は前記第１溝形鋼に組み合わされ、前記第２溝形鋼のウェブの幅方向である前記高さ調整部材の第１水平方向の位置は、各フランジが向かい合う離間距離によって調整され、前記第１溝形鋼の両フランジには、前記第１水平方向と直交する第２水平方向に延びる長穴が形成され、該長穴に挿入されるボルトによって前記高さ調整部材を前記固定用部材に固定する際に前記高さ調整部材の第２水平方向の位置が調整される。これによって、簡易な構造で、架台に対する大きな高さ調整が可能であるともに、架台に対して２つの直交する水平方向の位置調整が可能となる。
【図面の簡単な説明】
【００１４】
【図１】図１は、本実施の形態１における基礎と架台との接合構造を示す正面図である。
【図２】図２は、図１に示した基礎と架台との接合構造の左側面図である。
【図３】図３は、本実施の形態２における基礎と架台との接合構造を示す正面図である。
【図４】図４は、図３に示した基礎と架台との接合構造の左側面図である。
【発明を実施するための形態】
【００１５】
以下、添付図面を参照して本発明を実施するための形態について説明する。
【００１６】
（実施の形態１）
図１は、本実施の形態１における基礎と架台との接合構造を示す正面図である。また、図２は、図１に示した基礎と架台との接合構造の左側面図である。図１及び図２に示すように、固定用部材１は、メッキ塗装された山形鋼によって形成される。山形鋼の水平片部１ａは、アンカーボルト１１で基礎１０の基礎天端に固定される。
【００１７】
高さ調整部材２は、溝形鋼によって形成される。この溝形鋼は、溝形鋼の長手方向が鉛直上方に向かうように山形鋼の水平片部１ａから立設する。溝形鋼のウェブ２ａには、千鳥配置された高さ調整用の複数の穴２１が形成される。架台の柱３は、任意の２つの穴２１の位置で、ボルト３１，３２及びナット３３，３４でボルト締めされることによって高さ調整される。架台の柱３である溝形鋼のウェブ３ａと高さ調整部材２のウェブ２ａとが背中合わせになって結合される。ここで、穴２１が千鳥配置されることによって、きめの細かい高さ調整が可能となる。特に、図２に示すように、千鳥配置された穴２１の位置に対応した左右（Ｘ方向）で左上がりの一対の穴３５，３６、あるいは右上がりの一対の穴３５´，３６´が形成された、穴の斜め配置が異なる２種類の柱３，３´を用意しておき、これら２種類の柱３，３´を適宜選択して用いることによって、鉛直方向（Ｚ方向）の高さ調整を、千鳥配置された左側あるいは右側の穴２１の鉛直方向ピッチｄの１／２で行うことができる。ここで、柱３，３´のウェブ３ａ，３ａ´に形成される穴３５，３６、３５´，３６´の鉛直方向の間隔は、ピッチｄの１／２である間隔ｄ／２の奇数倍である。なお、上述した高さ調整部材２は、リップ溝形鋼やＨ鋼であってもよい。
【００１８】
固定用部材１である山形鋼の垂直片部１ｂには、高さ調整部材２である溝形鋼のウェブ２ａの幅方向（Ｘ方向）である第１水平方向に延びる２つの長穴１７，１８が形成される。この長穴１７，１８は、互いに異なる高さに設けられる。この長穴１７，１８を設けることによって、挿入されるボルト１３，１４によって高さ調整部材２を固定用部材１に固定する際に、高さ調整部材２の第１水平方向の位置を調整することができる。なお、高さ調整部材２と固定用部材１との固定には、ボルト１３，１４とナット１５，１６を用いているが、ナット１５，１６に替えて、埋め込み雌ネジを形成しておくことが好ましい。これにより、高さ調整部材２と固定用部材１との固定作業が容易になる。また、ナット１５，１６は、緩み止めナットを用いることが好ましい。
【００１９】
また、固定用部材１である山形鋼の水平片部１ａには、第１水平方向と直交する第２水平方向（Ｙ方向）に延びる長穴１２が形成されている。長穴１２に挿入されるアンカーボルト１１によって固定用部材１を基礎天端に固定する際、高さ調整部材２の第２水平方向の位置を調整することができる。
【００２０】
具体的な高さ調整部材２の高さは、５０ｃｍ程度である。長穴１７，１８の水平方向の開口長さは、それぞれ４ｃｍ程度であり、長穴１２の水平方向の開口長さは、５ｃｍ程度である。
【００２１】
本実施の形態１では、サイトが整地されない場合であっても、基礎天端で鉛直方向に５０ｃｍ程度、水平２方向に少なくともそれぞれ±２ｃｍ程度の位置ずれ調整を行うことができる。したがって、サイトが整地されていない場合であっても、簡易に鉛直及び水平２方向の計３方向の位置ずれを調整することができる。
【００２２】
（実施の形態２）
図３は、本実施の形態２における基礎と架台との接合構造を示す正面図である。また、図４は、図３に示した基礎と架台との接合構造の左側面図である。図３及び図４に示すように、固定用部材４は、溝形鋼によって形成される。この溝形鋼のウェブ４ａがアンカーボルト１１で基礎１０の基礎天端に固定される。
【００２３】
高さ調整部材２は、溝形鋼によって形成される。高さ調整部材２は、溝形鋼の長手方向が鉛直上方に向かうように溝形鋼のウェブ４ａから立設する。また、溝形鋼のウェブ２ａには、千鳥配置された高さ調整用の複数の穴が形成される。任意の２つの穴の位置で、ボルト３１，３２及びナット３３，３４でボルト締めされることによって高さ調整される。架台の柱３である溝形鋼のウェブ３ａと高さ調整部材２のウェブ２ａとが背中合わせになって結合される。ここで、穴が千鳥配置されることによって、きめの細かい高さ調整が可能となる。なお、高さ調整部材２は、リップ溝形鋼やＨ鋼であってもよい。
【００２４】
高さ調整部材２である溝形鋼のウェブ幅は、固定用部材４である溝形鋼のウェブ幅よりも短く、各フランジがそれぞれ向かい合うように距離ｄ１，ｄ２分、離間して、高さ調整部材２が固定用部材４に組み合わされる。高さ調整部材２である溝形鋼のウェブ２ａの幅方向（Ｘ方向）の位置調整は、距離ｄ１，ｄ２の調整によって行われる。各距離ｄ１，ｄ２は、１〜２ｍｍ程度である。
【００２５】
一方、固定用部材４である溝形鋼の両フランジには、第１水平方向（Ｘ方向）と直交する第２水平方向（Ｙ方向）に延びる長穴４０がそれぞれ形成されている。長穴４０に挿入されるボルトによって高さ調整部材２を固定用部材４に固定する際に、高さ調整部材２の第２水平方向の位置が調整される。この長穴４０の第２水平方向の開口長さは、５ｃｍ程度である。
【００２６】
なお、高さ調整部材２と固定用部材４との固定には、ボルト４１，４２とナット４３，４４を用いているが、ナット４３，４４に替えて、埋め込み雌ネジを形成しておくことが好ましい。これにより、高さ調整部材２と固定用部材４との固定作業が容易になる。
【００２７】
本実施の形態２では、実施の形態１と同様に、サイトが整地されない場合であっても、基礎天端で鉛直方向に５０ｃｍ程度、水平２方向に少なくともそれぞれ±２ｃｍ程度の位置ずれ調整を行うことができる。したがって、サイトが整地されていない場合であっても、簡易に鉛直及び水平２方向の計３方向の位置ずれを調整することができる。
【符号の説明】
【００２８】
１  固定用部材
１ａ  水平片部
１ｂ  垂直片部
２  高さ調整部材
２ａ，３ａ，３ａ´，４ａ  ウェブ
３  架台の柱
４  固定用部材
１０  基礎
１１  アンカーボルト
１２，１７，１８，４０  長穴
１３，１４，３１，３２，４１，４２  ボルト
１５，１６，３３，３４，４３，４４  ナット
２１，３５，３５´，３６，３６´  穴
ｄ１，ｄ２  距離
【図１】
2016113817.tif 000003
【図２】
2016113817.tif 000004
【図３】
2016113817.tif 000005
【図４】
2016113817.tif 000006